(57)【要約】【課題】複数の機能を持つと共に、機能ごとに動作条件を設定することが可能な複合機において、ユーザにとっての煩わしい操作やユーザの意図しない動作を防止する。【解決手段】複合機は、画像データの送信先及び保存先の何れかを選択的に宛先として指定することが可能であり、宛先の指定に使用されるユーザインタフェースと、ユーザインタフェースを制御する制御部とを備える。そして、ユーザインタフェースにて宛先の指定として送信先のアドレスが確定された場合、制御部は、ユーザインタフェースを、複合機の装置本体やデバイスへの保存先の指定が不可となるように制御する。【選択図】図６
2019208281.tif 000002
【特許請求の範囲】
【請求項１】
画像データの送信先及び保存先の何れかを選択的に宛先として指定することが可能な複合機であって、
前記宛先の指定に使用されるユーザインタフェースと、
前記ユーザインタフェースを制御する制御部と、
を備え、
前記制御部は、前記ユーザインタフェースにて前記宛先の指定として前記送信先のアドレスが確定された場合、前記ユーザインタフェースを、前記複合機の装置本体やデバイスへの前記保存先の指定が不可となるように制御する、複合機。
【請求項２】
前記制御部は、
前記ユーザインタフェースにて前記宛先の指定として前記送信先のアドレスが確定された後、前記ユーザインタフェースを、前記送信先のアドレスが削除可能となるように制御し、
その後、前記ユーザインタフェースにて前記送信先のアドレスが削除された場合、前記ユーザインタフェースを、前記複合機の装置本体やデバイスへの前記保存先の指定が再び可能となるように制御する、請求項１に記載の複合機。
【請求項３】
前記制御部は、前記ユーザインタフェースにて前記宛先の指定として前記送信先のアドレスが確定された後、前記ユーザインタフェースを、前記複合機の装置本体やデバイスへの前記保存先の指定が不可となるように制御しつつ、前記送信先のアドレスの追加、変更、及び削除の何れかを選択的に行うことが可能となるように制御する、請求項１または請求項２に記載の複合機。
【請求項４】
前記制御部は、前記ユーザインタフェースを、前記複合機の装置本体やデバイスへの前記保存先の指定が可能となるように制御する場合、更に、選択可能な状態で前記保存先を一覧表示することが可能となるように制御する、請求項１〜３の何れか１つに記載の複合機。
【請求項５】
前記制御部は、前記ユーザインタフェースにて前記宛先が指定された場合、前記ユーザインタフェースを、前記宛先に関連する動作条件の設定が可能となるように制御すると共に、前記宛先に関連しない動作条件の設定が不可となるように制御する、請求項１〜４の何れか１つに記載の複合機。
【発明の詳細な説明】
【技術分野】
【０００１】
本発明は、複合機に関し、特に機能の選択や動作条件の設定時に適用される技術に関する。
【背景技術】
【０００２】
複合機等の画像形成装置は、コピー機能、ファクシミリ送信機能、スキャン機能、プリンタ機能、イメージ送信機能など、様々な機能を持つと共に、機能ごとに動作条件を設定することが可能である（例えば、特許文献１参照）。例えば、コピー機能では、コピー濃度、コピー倍率、コピー枚数、用紙サイズなど、複数の動作条件を設定することが可能である。又、ファクシミリ送信機能やスキャン機能では、送信先（宛先）等を指定することが可能である。
【０００３】
この様な動作条件の設定は、タッチディスプレイパネル等に表示される設定画面で実行される。具体的には、その設定画面に、設定可能な動作条件ごとにアイコンや設定領域が表示される。そして、設定画面にて何れかのアイコンが選択されたとき、そのアイコンに対応した動作条件の詳細設定画面が表示され、その詳細設定画面にて条件設定が行われる。又、コピー枚数は、数字の入力が可能な設定領域にて入力され、宛先は、アドレスを選択可能な状態で一覧表示されることが可能な設定領域にて選択される。
【先行技術文献】
【特許文献】
【０００４】
【特許文献１】特開２０１５−１８１３号公報
【発明の概要】
【発明が解決しようとする課題】
【０００５】
しかしながら、従来の画像形成装置では、動作条件の設定途中であっても、選択されている機能とは別の機能を選択する操作が可能である。そして、設定途中に別の機能が選択された場合、それまでの設定内容が全てリセットされてしまっていた。このため、ユーザの誤操作により、動作条件の設定途中で別の機能が選択された場合、ユーザは、動作条件を改めて設定し直す必要があり、ユーザにとって煩わしかった。
【０００６】
又、従来の画像形成装置では、コピー枚数や宛先の設定後であっても、その設定領域での更なる設定操作が可能である。このため、ユーザの誤操作により、設定内容が変更又は追加される虞がある。例えば、ユーザがコピー枚数を所定部数に設定したにも拘らず、誤操作により更に数字が入力されてしまい、意図しない部数のコピーが実行される虞がある。又、ユーザが宛先を所定のアドレスに設定したにも拘らず、誤操作によりアドレスの変更や追加が行われてしまい、意図しない宛先への送信が実行される虞がある。
【０００７】
そこで本発明の目的は、複数の機能を持つと共に、機能ごとに動作条件を設定することが可能な複合機において、ユーザにとっての煩わしい操作やユーザの意図しない動作を防止することである。
【課題を解決するための手段】
【０００８】
本発明に係る複合機は、画像データの送信先及び保存先の何れかを選択的に宛先として指定することが可能であり、宛先の指定に使用されるユーザインタフェースと、ユーザインタフェースを制御する制御部とを備える。そして、ユーザインタフェースにて宛先の指定として送信先のアドレスが確定された場合、制御部は、ユーザインタフェースを、複合機の装置本体やデバイスへの保存先の指定が不可となるように制御する。
【０００９】
上記複合機の具体的な構成において、ユーザインタフェースにて宛先の指定として送信先のアドレスが確定された後、制御部は、ユーザインタフェースを、送信先のアドレスが削除可能となるように制御する。その後、ユーザインタフェースにて送信先のアドレスが削除された場合、制御部は、ユーザインタフェースを、複合機の装置本体やデバイスへの保存先の指定が再び可能となるように制御する。
【００１０】
また、ユーザインタフェースにて宛先の指定として送信先のアドレスが確定された後、制御部は、ユーザインタフェースを、複合機の装置本体やデバイスへの保存先の指定が不可となるように制御しつつ、送信先のアドレスの追加、変更、及び削除の何れかを選択的に行うことが可能となるように制御する。
【００１１】
なお、ユーザインタフェースを、複合機の装置本体やデバイスへの保存先の指定が可能となるように制御する場合、制御部は、更に、選択可能な状態で保存先を一覧表示することが可能となるように制御する。
【００１２】
更に、ユーザインタフェースにて宛先が指定された場合、制御部は、ユーザインタフェースを、宛先に関連する動作条件の設定が可能となるように制御すると共に、宛先に関連しない動作条件の設定が不可となるように制御する。
【００１３】
上述した複合機によれば、送信先のアドレスが宛先として確定された後、そのアドレスが削除される迄は、装置本体やデバイス等の保存先を宛先として指定する操作が無効にされる。そして、装置本体やデバイス等への宛先の変更は、無効にされている指定操作を再び有効にするべく送信先のアドレスを削除するというユーザの意図に基づいて行われることになる。このため、ユーザの誤操作による宛先の変更や追加が、上記処理により防止される。よって、画像データの送信実行時において、ユーザの意図しない宛先への送信が防止される。
【発明の効果】
【００１４】
本発明に係る複合機によれば、ユーザにとっての煩わしい操作やユーザの意図しない動作が防止される。
【図面の簡単な説明】
【００１５】
【図１】本発明の実施形態に係る画像形成装置を概念的に示した斜視図である。
【図２】画像形成装置のブロック図である。
【図３】第１実施形態にて制御部が実行する処理を示したフローチャートである。
【図４】タッチディスプレイパネルに表示される第１選択画面を示した概念図である。
【図５】スキャン機能についての通常設定画面を示した概念図である。
【図６】第１実施形態にて操作制御部が実行する処理と対応させて示した通常設定画面の概念図であり、（ａ）動作条件である宛先に関する設定操作が有効な状態、及び（ｂ）宛先に関する更なる設定操作が無効にされた状態をそれぞれ示したものである。
【図７】第２実施形態にて操作制御部が実行する処理と対応させて示した通常設定画面の概念図であり、（ａ）宛先が確定されたときの状態、及び（ｂ）宛先の追加が可能になった状態をそれぞれ示したものである。
【図８】第２実施形態にて操作制御部が実行する処理と対応させて示した通常設定画面の概念図であり、宛先に関する更なる設定操作が無効にされた状態を示したものである。
【図９】タッチディスプレイパネルに表示される第２選択画面を示した概念図である。
【図１０】第３実施形態にて制御部が実行する処理を示したフローチャートである。
【図１１】第３実施形態にて操作制御部が実行する処理と対応させて示した簡易設定画面の概念図であり、（ａ）動作条件である宛先に関する設定操作が有効な状態、及び（ｂ）宛先に関する更なる設定操作が無効にされた状態をそれぞれ示したものである。
【図１２】第４実施形態にて操作制御部が実行する処理と対応させて示した通常設定画面の概念図であり、（ａ）動作条件であるコピー枚数に関する設定操作が有効な状態、及び（ｂ）コピー枚数に関する更なる設定操作が無効にされた状態をそれぞれ示したものである。
【発明を実施するための形態】
【００１６】
以下、本発明の実施形態について、図面に沿って説明する。
【００１７】
［１］第１実施形態
［１−１］画像形成装置の構成
図１及び図２に示される様に、画像形成装置は、画像読取部１、給紙部２、画像処理部３、排紙部４、操作部５、記憶部６、制御部７、画像出力部８１、及び送受信部８２を備える。本実施形態において、画像形成装置は、様々な機能（コピー機能、ファクシミリ送信機能、スキャン機能、プリンタ機能、イメージ送信機能など）を持った複合機である。又、画像形成装置は、それが持つ機能ごとに複数の動作条件を設定することが可能なものである。尚、動作条件として、例えば、コピー機能で設定可能なコピー濃度、コピー倍率、コピー枚数、用紙サイズなどや、ファクシミリ送信機能で設定可能な宛先など、様々な条件が挙げられる。
【００１８】
画像読取部１は、原稿台に載置された原稿の画像を光学的に読み取ることにより、画像データを生成する。尚、画像読取部１は、自動原稿送り機構を備えていてもよい。
【００１９】
画像読取部１にて生成された画像データは、画像処理部３に入力される。尚、画像処理部３には、画像読取部１で生成された画像データに限らず、外部接続装置からネットワーク等を介して送受信部８２が取得した画像データが入力されてもよい。
【００２０】
画像処理部３は、選択された機能及び設定された動作条件に応じて、補正処理やフィルタ処理等、様々な画像処理を画像データに施す。そして、画像処理後の画像データは、コピー機能やプリンタ機能が選択されている場合には画像出力部８１に入力され、ファクシミリ送信機能やスキャン機能が選択されている場合には送受信部８２に入力される。
【００２１】
画像出力部８１は、入力された画像データに基づき電子写真方式の画像形成処理を行うと共に、給紙部２から供給される用紙に画像印刷を行う。画像印刷が施された用紙は、排紙部４に排出される。尚、用紙には、普通紙や印画紙等の紙材のシートに限らず、ＯＨＰフィルム等の樹脂材のシート、更にはその他の種々の材料から形成されたシートが含まれる。
【００２２】
送受信部８２は、ネットワークを介して画像データの送受信を行う。具体的には、送受信部８２は、パーソナルコンピュータ等の外部接続装置から画像データを受信する機能と、外部接続装置へ画像データを送信する機能とを備える。送信の例として、送受信部８２は、画像処理部３から入力された画像データを、ネットワーク等を介して外部接続装置へ送信する。
【００２３】
図４に示される様に、操作部５は、タッチディスプレイパネル５１と静電容量式ボタン５２とを含み、ユーザインタフェースとして機能する。即ち、操作部５は、ユーザからの操作指令が入力される入力部としての機能と、ユーザに対して設定画面や動作状況等の情報を与える表示部としての機能とを有する。一例として、タッチディスプレイパネル５１には、画像形成装置に発揮させる機能の選択操作に使用される選択画面や、動作条件の設定操作に使用される設定画面等が表示される。又、静電容量式ボタン５２は、例えば、タッチディスプレイパネル５１の表示画面をホーム画面へ移行させるボタンである。尚、操作部５は、タッチディスプレイパネル５１又は静電容量式ボタン５２の何れか一方のみで構成されてもよい。又、静電容量式ボタン５２は、複数設けられていてもよい。
【００２４】
記憶部６には、画像形成装置の各部の制御に用いられる制御パラメータの設定値等が記憶されている。又、記憶部６には、タッチディスプレイパネル５１に表示させる設定画面用の画像データ等が記憶されている。そして、制御部７は、操作部５にて選択された機能及び設定された動作条件の内容に応じて、画像形成装置の各部を制御する。具体的には、制御部７は、操作部５での設定内容を満たすことのできる制御パラメータの設定値等を記憶部６から読み出し、読み出した設定値等に基づいて画像形成装置の各部を制御する。尚、制御部７には、画像形成装置の制御を統括するメイン制御部７１と、操作部５を主に制御する操作制御部７２とが含まれている。
【００２５】
［１−２］画像形成装置の制御
次に、画像形成装置において制御部７が行う制御について説明する。尚、図３は、操作制御部７２を含む制御部７が実行する処理を示したフローチャートである。以下では、主に操作制御部７２が行う制御であって、画像形成装置に発揮させる機能の選択及び動作条件の設定に関連する制御について、詳細に説明する。
【００２６】
操作制御部７２は、図４に示される様に、第１選択画面をタッチディスプレイパネル５１に表示させる。この第１選択画面は、ユーザが通常の設定操作を行いたいときに使用される画面であり、第１選択画面には、画像形成装置が持つ機能ごとに、その機能についての通常設定画面を表示させるアイコンＩｎが配されている。図４に示された第１選択画面では、アイコンＩｎは、コピー機能、ファクシミリ送信機能（図中では、「ファクシミリ送信」が「ファックス」と略されている。）、及びスキャン機能の各々に対応するものである。尚、第１選択画面には、これらの機能に限定されない種々の機能に対応するアイコンＩｎが表示されてもよい。
【００２７】
第１選択画面にて何れかのアイコンＩｎが選択されたとき、操作制御部７２は、図５に示される様に、選択されたアイコンＩｎに対応する機能についての通常設定画面をタッチディスプレイパネル５１に表示させる。ここで、通常設定画面は、対象となっている機能に関する動作条件の全てについて設定することを可能ならしめる画面である。そして、この通常設定画面では、設定可能な動作条件ごとに、その動作条件についての詳細設定画面を表示させるアイコンＩｃ１や、入力等により動作条件の設定が実行される設定領域Ｉｐ１が表示される。又、本実施形態では更に、選択されている機能とは別の機能を選択することを可能ならしめるアイコンＩｎ１が、通常設定画面に表示される。
【００２８】
図５では、通常設定画面として、第１選択画面（図４参照）にてスキャン機能のアイコンＩｎが選択されたときに表示される画面が示されている。そして、その通常設定画面において、設定領域Ｉｐ１は、スキャンにより得られた画像データの送信先（宛先）の指定が可能な画像である。アイコンＩｃ１は、宛先以外の動作条件の各々に対応するものであり、アイコンＩｃ１として、スキャンカラー、解像度、原稿サイズ、ファイル形式、スキャン濃度の各々に対応したものが表示されている。一方、それら以外の動作条件にそれぞれ対応するアイコンＩｃ１は、「他の動作条件」と表記された１つのアイコンＩｃ０に集約されている。更に、アイコンＩｎ１として、コピー機能及びファクシミリ送信機能の各々の選択を可能ならしめるものが表示されている。
【００２９】
設定領域Ｉｐ１には、宛先となるアドレスを選択可能な状態で一覧表示させるボタンＢｓ１と、宛先の検索に使用される検索画面を表示させるボタンＢｓ２とが含まれている。ボタンＢｓ１の押下により表示されるアドレスは、例えば、ユーザにより予め登録されたものである。又、ボタンＢｓ２の押下により表示される検索画面は、例えば、画像データの送信先として、画像形成装置の本体（具体的には記憶部６）やＵＳＢメモリ等のデバイスを選択する際に使用される。尚、通常設定画面にてボタンＢｓ１が押された状態が、図６（ａ）に示されている。
【００３０】
ボタンＢｓ１の押下により一覧表示されたアドレスの何れかが選択されたとき、操作制御部７２は、選択されたアドレスを、設定領域Ｉｐ１に設けられた宛先の入力欄に表示すると共に宛先として確定する（図３のステップＳ１１にて「Ｙｅｓ」と判断）。又、ボタンＢｓ２の押下により表示された検索画面にて宛先が選択されると共に確定されたとき、操作制御部７２は、その選択及び確定された宛先を入力欄に表示する。尚、宛先の入力欄には、タッチディスプレイパネル５１の操作によりユーザがアドレスを直接入力してもよい。この場合、入力後、例えば設定領域Ｉｐ１に含まれる確定ボタン（図示せず）が押されることにより、操作制御部７２は、入力されたアドレスを宛先として確定する。
【００３１】
そして、操作制御部７２は、上述した何れかの宛先の確定と共に、選択されているスキャン機能とは別の機能（コピー機能及びファクシミリ送信機能）を選択する操作を無効にする（図３のステップＳ１２）。具体的には、図６（ｂ）に示される様に、操作制御部７２は、スキャン機能とは別の機能の選択を可能ならしめるアイコンＩｎ１の選択操作を無効にする。図６（ｂ）では、選択操作が無効にされた状態が、操作無効の対象となったアイコンＩｎ１にハッチングが施されることにより示されている。尚、操作制御部７２は、操作無効の対象であるアイコンＩｎ１を通常設定画面から消去（通常設定画面にて非表示に）してもよい。
【００３２】
又、操作制御部７２は、上述した宛先の確定と共に、図６（ｂ）に示される様に宛先に関する更なる設定操作を無効にする。図６（ｂ）では、設定操作が無効にされた状態が、操作無効の対象となった設定領域Ｉｐ１にハッチングが施されることにより示されている。尚、操作制御部７２は、操作無効の対象である設定領域Ｉｐ１を通常設定画面から消去（通常設定画面にて非表示に）してもよい。
【００３３】
更に、図６（ｂ）に示される様に、操作制御部７２は、確定された宛先に関連する動作条件（スキャンカラー、解像度、原稿サイズ、ファイル形式、スキャン濃度等）については、これらの設定操作を有効のまま維持する。一方、確定された宛先に関連しない動作条件については、操作制御部７２は、それらの設定操作を無効にする（図３のステップＳ１２）。即ち、操作制御部７２は、確定された宛先に関連する動作条件についてのみ、それらの各々に対応するアイコンＩｃ１の選択操作を有効のまま維持する。これにより、宛先の確定後であっても、ユーザは、スキャン機能に関する他の動作条件の設定を行うことができる（図３のステップＳ１４〜Ｓ１６）。
【００３４】
通常設定画面にて操作が有効な何れかのアイコンＩｃ１が選択されたとき、操作制御部７２は、選択されたアイコンＩｃ１に対応する動作条件の詳細設定画面をタッチディスプレイパネル５１に表示させる。この詳細設定画面では、操作制御部７２は、予め決められた複数の選択項目からの設定内容の選択や、数字や文字等の入力など、条件設定に関するタッチディスプレイパネル５１でのユーザ操作を可能にする。詳細設定画面にて設定された内容は、通常設定画面において、対応するアイコンＩｃ１に表記される。一方、動作条件の設定前においては、各動作条件は、予め決められたデフォルトの内容であり、アイコンＩｃ１には、対応する動作条件のデフォルトの内容が表記される（図５参照。「モノクロ」や「２００×２００ｄｐｉ」など）。
【００３５】
本実施形態においては更に、通常設定画面にて宛先が確定されたとき、操作制御部７２は、確定された宛先を削除（リセット）するボタンＢｓ３を通常設定画面に表示させる（図６（ｂ）参照）。
【００３６】
そして、ボタンＢｓ３が押されたとき（図３のステップＳ１３にて「Ｙｅｓ」と判断されたとき）、操作制御部７２は、確定されている宛先（設定領域Ｉｐ１の入力欄に入力されている宛先）を削除すると共に、次の処理を実行する。即ち、操作制御部７２は、無効にされていた宛先に関する設定操作を再び有効にする（図３のステップＳ１８、及び図５参照）。又、操作制御部７２は、選択されているスキャン機能とは別の機能（コピー機能及びファクシミリ送信機能）を選択する操作を再び有効にする。具体的には、操作制御部７２は、別の機能の選択を可能ならしめるアイコンＩｎ１の選択操作を再び有効にする（図５参照）。
【００３７】
操作制御部７２の上記処理によれば、通常設定画面（図６（ｂ）参照）にて宛先が確定された後、その宛先を削除するボタンＢｓ３が押される迄は、選択されているスキャン機能とは別の機能を選択する操作が無効にされる。そして、機能の変更は、無効にされている選択操作を再び有効にするべくボタンＢｓ３を押すというユーザの意図に基づいて行われることになる。このため、ユーザの誤操作（ユーザの意図に反した操作）による機能の変更が、上記処理により防止される。よって、動作条件の設定途中で別の機能が選択されることがなく、従って、それまでの設定内容がリセットされてしまうこともない。結果として、動作条件を改めて設定し直すといった煩わしい操作が、ユーザに強要されることがない。
【００３８】
又、操作制御部７２の上記処理によれば、通常設定画面（図６（ｂ）参照）にて宛先が確定された後、その宛先を削除するボタンＢｓ３が押される迄は、宛先に関する更なる設定操作が無効にされる。そして、宛先の変更は、無効にされている設定操作を再び有効にするべくボタンＢｓ３を押すというユーザの意図に基づいて行われることになる。このため、ユーザの誤操作（ユーザの意図に反した操作）による宛先の変更や追加が、上記処理により防止される。よって、画像データの送信実行時（図３のステップＳ１７にて「Ｙｅｓ」と判断されたとき）において、ユーザの意図しない宛先への送信が防止される。
【００３９】
［２］第２実施形態
上記画像形成装置において、通常設定画面には、図７（ａ）に示される様に、複数の宛先の指定を可能ならしめるボタンＢｓ４が表示されてもよい。このボタンＢｓ４は、宛先が確定された後に押すことが可能になるボタンであり、確定された宛先とは別の宛先を追加することを可能にするものである。即ち、操作制御部７２は、宛先の追加を通常設定画面にて可能にする。
【００４０】
そして、ある１つの宛先が確定されると共にその後にボタンＢｓ４が押されたとき、操作制御部７２は、無効にされていた宛先に関する設定操作を再び有効にする（図７（ｂ）参照）。このとき、操作制御部７２は、選択されているスキャン機能とは別の機能（コピー機能及びファクシミリ送信機能）を選択する操作については無効のまま維持する。具体的には、操作制御部７２は、別の機能の選択を可能ならしめるアイコンＩｎ１の選択操作を無効のまま維持する（図７（ｂ）参照）。
【００４１】
その後、ボタンＢｓ１の押下により一覧表示されたアドレスの何れかが選択されたとき、操作制御部７２は、選択されたアドレスを、設定領域Ｉｐ１に設けられた宛先の入力欄に表示すると共に宛先として確定する。又、ボタンＢｓ２の押下により表示された検索画面にて宛先が選択されると共に確定されたとき、操作制御部７２は、その選択及び確定された宛先を入力欄に表示する。尚、宛先の入力欄には、タッチディスプレイパネル５１の操作によりユーザがアドレスを直接入力してもよい。この場合、入力後、例えば設定領域Ｉｐ１に含まれる確定ボタン（図示せず）が押されることにより、操作制御部７２は、入力されたアドレスを宛先として確定する。
【００４２】
更に、操作制御部７２は、上述した宛先の確定と共に、図８に示される様に宛先に関する更なる設定操作を再び無効にする。図８では、設定操作が無効にされた状態が、操作無効の対象となった設定領域Ｉｐ１にハッチングが施されることにより示されている。尚、操作制御部７２は、操作無効の対象である設定領域Ｉｐ１を通常設定画面から消去（通常設定画面にて非表示に）してもよい。
【００４３】
本実施形態において、ユーザは、確定した複数の宛先を確認することが可能である。具体的には、操作制御部７２は、確定された宛先を一覧表示させるボタンＢｓ５を通常設定画面に表示させる。そして、ボタンＢｓ５が押されたとき、操作制御部７２は、それまでに確定された宛先を一覧表示する。
【００４４】
又、本実施形態において、ボタンＢｓ３は、確定されている複数の宛先を削除（リセット）するボタンである。そして、ボタンＢｓ３が押されたとき、操作制御部７２は、確定されている全ての宛先を削除すると共に、次の処理を実行する。即ち、操作制御部７２は、無効にされていた宛先に関する設定操作を再び有効にする（図５参照）。又、操作制御部７２は、選択されているスキャン機能とは別の機能を選択する操作を再び有効にする。具体的には、操作制御部７２は、別の機能の選択を可能ならしめるアイコンＩｎ１の選択操作を再び有効にする（図５参照）。
【００４５】
操作制御部７２の上記処理によれば、複数の宛先への画像データの送信（同報送信）が可能になると共に、送信先となる複数の宛先の指定が、ユーザの意図に基づいて行われることになる。よって、ユーザの意図しない宛先への画像データの送信が防止される。
【００４６】
尚、第２実施形態において、操作制御部７２は、１つの宛先を確定するごとに宛先に関する設定操作を無効にする処理に限らず、指定する宛先の数を予め設定させ、設定された数の宛先が指定されると共に確定されたときに、宛先に関する更なる設定操作を無効にする処理を行ってもよい。
【００４７】
［３］第３実施形態
図１０は、操作制御部７２を含む制御部７が第３実施形態にて実行する処理を示したフローチャートである。図４に示される様に、第１選択画面には、アイコンＩｎに加えて、タッチディスプレイパネル５１の表示画面を第１選択画面から第２選択画面へ切り替えるボタンＢ１が表示される。そして、第１選択画面にてボタンＢ１が押されたとき、操作制御部７２は、図９に示される様に、第２選択画面をタッチディスプレイパネル５１に表示させる（図１０のステップＳ２１）。一方、この第２選択画面には、タッチディスプレイパネル５１の表示画面を第２選択画面から第１選択画面へ切り替えるボタンＢ２が表示される。そして、第２選択画面にてボタンＢ２が押されたとき、操作制御部７２は、第１選択画面（図４参照）をタッチディスプレイパネル５１に表示させる。
【００４８】
第２選択画面は、ユーザが簡易な設定操作を行いたいときに使用される画面であり、第２選択画面には、画像形成装置が持つ機能ごとに、その機能についての簡易設定画面を表示させるアイコンＩｓが配されている。図９に示された第２選択画面では、アイコンＩｓは、コピー機能、ファクシミリ送信機能（図中では、「ファクシミリ送信」が「ファックス」と略されている。）、及びスキャン機能の各々に対応するものである。尚、第２選択画面には、これらの機能に限定されない種々の機能に対応するアイコンＩｓが表示されてもよい。
【００４９】
第２選択画面にて何れかのアイコンＩｓが選択されたとき、操作制御部７２は、図１１（ａ）に示される様に、選択されたアイコンＩｓに対応する機能についての簡易設定画面をタッチディスプレイパネル５１に表示させる（図１０のステップＳ２２及びＳ２３）。ここで、簡易設定画面は、対象となっている機能に関する動作条件の幾つかについてのみ設定することを可能ならしめる画面である。そして、この簡易設定画面では、設定可能な動作条件ごとに、その動作条件についての詳細設定画面を表示させるアイコンＩｃ２や、入力等により動作条件の設定が実行される設定領域Ｉｐ２が表示される。一例として、簡易設定画面には、ユーザにとって設定頻度の高い動作条件に対応するアイコンＩｃ２が表示される。図１１（ａ）では、簡易設定画面として、第２選択画面（図９参照）にてスキャン機能のアイコンＩｓが選択されたときに表示される画面が示されている。そして、その簡易設定画面において、設定領域Ｉｐ２は、スキャンにより得られた画像データの送信先（宛先）の指定が可能な画像である。アイコンＩｃ２は、宛先以外の動作条件の各々に対応するものであり、アイコンＩｃ２として、解像度及びファイル形式の２つの動作条件にそれぞれ対応したものが表示されている。尚、簡易設定画面には、これらの動作条件に限定されない種々の動作条件に対応するアイコンＩｃ２が表示されてもよい。
【００５０】
更に、図１１（ａ）に示された簡易設定画面には、宛先となるアドレスを選択可能な状態で一覧表示させるアイコンＩａ１と、宛先となる画像形成装置の本体（具体的には記憶部６）やＵＳＢメモリ等のデバイスを選択可能な状態で一覧表示させるアイコンＩａ２と、送信履歴を一覧表示させるアイコンＩａ３とが含まれている。ここで、アイコンＩａ１の選択により表示されるアドレスは、例えば、ユーザにより予め登録されたものである。
【００５１】
アイコンＩａ１の選択によりアドレスが一覧表示される（図１０のステップＳ２４及びＳ２５）と共に、表示されたアドレスの何れかが選択されたとき（図１０のステップＳ２６にて「Ｙｅｓ」と判断されたとき）、操作制御部７２は、選択されたアドレスを、設定領域Ｉｐ２に設けられた宛先の入力欄に表示すると共に宛先として確定する（図１０のステップＳ２７）。尚、宛先の入力欄には、タッチディスプレイパネル５１の操作によりユーザがアドレスを直接入力してもよい（図１０のステップＳ３１及びＳ３２参照）。この場合、入力後、例えば設定領域Ｉｐ２に含まれる確定ボタン（図示せず）が押されることにより、操作制御部７２は、入力されたアドレスを宛先として確定する（図１０のステップＳ２７）。
【００５２】
そして、操作制御部７２は、上述した宛先の確定と共に、図１１（ｂ）に示される様に本体やデバイス等の保存先を宛先として選択する操作を無効にする（図１０のステップＳ２８）。具体的には、操作制御部７２は、アイコンＩａ２の選択操作を無効にする。図１１（ｂ）では、選択操作が無効にされた状態が、操作無効の対象となったアイコンＩａ２にハッチングが施されることにより示されている。尚、操作制御部７２は、操作無効の対象であるアイコンＩａ２を簡易設定画面から消去（簡易設定画面にて非表示に）してもよい。
【００５３】
一方、本実施形態では、宛先が確定されたときであっても、アドレスの追加、変更、削除が可能である。即ち、操作制御部７２は、アイコンＩａ１の選択操作及び設定領域Ｉｐ２の入力欄への入力操作を有効なまま維持する。そして、確定されたアドレス（設定領域Ｉｐ２の入力欄に入力されているアドレス）が削除されたとき、操作制御部７２は、無効にされていた選択操作（本体やデバイス等の保存先を宛先として選択する操作）を再び有効にする（図１１（ａ）参照）。
【００５４】
宛先を設定する別の操作として、アイコンＩａ２の選択により本体やデバイス等の保存先が一覧表示される（図１０のステップＳ４１）と共に、表示された保存先の何れかが指定されたとき（図１０のステップＳ４２にて「Ｙｅｓ」と判断されたとき）、操作制御部７２は、選択された本体或いはデバイスを入力欄に表示すると共に宛先として確定する。
【００５５】
更に、図１１（ｂ）に示される様に、操作制御部７２は、確定された宛先に関連する動作条件（解像度、ファイル形式）については、これらの設定操作を有効のまま維持する。一方、確定された宛先に関連しない動作条件については、操作制御部７２は、それらの設定操作を無効にする（図１１（ｂ）では図示されていない）。即ち、操作制御部７２は、確定された宛先に関連する動作条件についてのみ、それらの各々に対応するアイコンＩｃ２の選択操作を有効のまま維持する。これにより、宛先の確定後であっても、ユーザは、スキャン機能に関する他の動作条件の設定を行うことができる。
【００５６】
簡易設定画面にて操作が有効な何れかのアイコンＩｃ２が選択されたとき、操作制御部７２は、選択されたアイコンＩｃ２に対応する動作条件の詳細設定画面をタッチディスプレイパネル５１に表示させる。この詳細設定画面では、操作制御部７２は、予め決められた複数の選択項目からの設定内容の選択や、数字や文字等の入力など、条件設定に関するタッチディスプレイパネル５１でのユーザ操作を可能にする。詳細設定画面にて設定された内容は、簡易設定画面において、対応するアイコンＩｃ２に表記される。一方、動作条件の設定前においては、各動作条件は、予め決められたデフォルトの内容であり、アイコンＩｃ２には、対応する動作条件のデフォルトの内容が表記される（図１１（ａ）参照。「２００×２００ｄｐｉ」や「ＰＤＦ」）。
【００５７】
尚、本実施形態においては、対象となっている機能（図１１（ａ）においてスキャン機能）に関して、表示画面を通常設定画面へ切り替えるボタンＢｃが簡易設定画面に表示される。そして、簡易設定画面にてボタンＢｃが選択されたとき、操作制御部７２は、タッチディスプレイパネル５１での表示画面を通常設定画面（図５参照）へ切り替える。ユーザは、簡易設定画面での設定途中であっても、簡易設定画面では設定できない動作条件について設定が必要になった場合、煩わしい操作なしに通常設定画面へ移行することができる。
【００５８】
操作制御部７２の上記処理によれば、簡易設定画面（図１１（ｂ）参照）にてアドレスが宛先として確定された後、そのアドレスが削除される迄は、本体やデバイス等の保存先を宛先として選択する操作が無効にされる。そして、本体やデバイス等への宛先の変更は、無効にされている選択操作を再び有効にするべくアドレスを削除するというユーザの意図に基づいて行われることになる。このため、ユーザの誤操作（ユーザの意図に反した操作）による宛先の変更や追加が、上記処理により防止される。よって、画像データの送信実行時（図１０のステップＳ５１及びＳ５２）において、ユーザの意図しない宛先への送信が防止される。
【００５９】
尚、第２実施形態の同報送信の技術は、この第３実施形態の簡易設定画面にも適用することができる。
【００６０】
［４］他の実施形態
［４−１］第４実施形態
上述した第１〜第３実施形態の技術は、コピー機能やファクシミリ送信機能等、スキャン機能に限定されない他の機能の選択時に実行される処理にも適用することができる。以下、コピー機能の選択時に実行される処理に第１実施形態の技術を適用した場合について、具体的に説明する。
【００６１】
第１選択画面（図４参照）にてコピー機能のアイコンＩｎが選択されたとき、図１２（ａ）に示される様に、コピー機能についての通常設定画面が表示される。そして、その通常設定画面において、設定領域Ｉｐ１は、コピー枚数の設定（数字の入力）が可能な画像である。アイコンＩｃ１は、コピー枚数以外の動作条件の各々に対応するものであり、アイコンＩｃ１として、コピーカラー、原稿の向き、用紙サイズ、コピー面、コピー濃度の各々に対応したものが表示されている。一方、それら以外の動作条件にそれぞれ対応するアイコンＩｃ１は、「他の動作条件」と表記された１つのアイコンＩｃ０に集約されている。
【００６２】
又、通常設定画面には、選択されているコピー機能とは別の機能（ファクシミリ送信機能及びスキャン機能）を選択することを可能ならしめるアイコンＩｎ１が表示される。
【００６３】
設定領域Ｉｐ１には、テンキーＢｔ１と、入力欄に入力された数字（コピー枚数）を確定するボタンＢｔ２とが含まれている。そして、テンキーＢｔ１の操作により入力欄に数字が入力されると共にボタンＢｔ２が押されたとき、操作制御部７２は、入力された数字をコピー枚数として確定する。尚、コピー枚数の入力欄には、タッチディスプレイパネル５１の操作によりユーザが数字を直接入力してもよい。
【００６４】
そして、操作制御部７２は、上述したコピー枚数の確定と共に、選択されているコピー機能とは別の機能（ファクシミリ送信機能及びスキャン機能）を選択する操作を無効にする。具体的には、図１２（ｂ）に示される様に、操作制御部７２は、コピー機能とは別の機能の選択を可能ならしめるアイコンＩｎ１の選択操作を無効にする。図１２（ｂ）では、選択操作が無効にされた状態が、操作無効の対象となったアイコンＩｎ１にハッチングが施されることにより示されている。尚、操作制御部７２は、操作無効の対象であるアイコンＩｎ１を通常設定画面から消去（通常設定画面にて非表示に）してもよい。
【００６５】
又、操作制御部７２は、上述したコピー枚数の確定と共に、図１２（ｂ）に示される様にコピー枚数に関する更なる設定操作を無効にする。図１２（ｂ）では、設定操作が無効にされた状態が、操作無効の対象となった設定領域Ｉｐ１にハッチングが施されることにより示されている。尚、操作制御部７２は、操作無効の対象である設定領域Ｉｐ１を通常設定画面から消去（通常設定画面にて非表示に）してもよい。
【００６６】
更に、図１２（ｂ）に示される様に、操作制御部７２は、確定されたコピー枚数に関連する動作条件（コピーカラー、原稿の向き、用紙サイズ、コピー面、コピー濃度等）については、これらの設定操作を有効のまま維持する。一方、確定されたコピー枚数に関連しない動作条件については、操作制御部７２は、それらの設定操作を無効にする（図１２（ｂ）では図示されていない）。即ち、操作制御部７２は、確定されたコピー枚数に関連する動作条件についてのみ、それらの各々に対応するアイコンＩｃ１の選択操作を有効のまま維持する。これにより、コピー枚数の確定後であっても、ユーザは、コピー機能に関する他の動作条件の設定を行うことができる。
【００６７】
本実施形態においては更に、通常設定画面にてコピー枚数が確定されたとき、操作制御部７２は、確定されたコピー枚数を削除（リセット）するボタンＢｒ２を通常設定画面に表示させる（図１２（ｂ）参照）。
【００６８】
そして、ボタンＢｒ２が押されたとき、操作制御部７２は、確定されているコピー枚数（設定領域Ｉｐ１の入力欄に入力されている数字）を削除すると共に、次の処理を実行する。即ち、操作制御部７２は、無効にされていたコピー枚数に関する設定操作を再び有効にする（図１２（ａ）参照）。又、操作制御部７２は、選択されているコピー機能とは別の機能（ファクシミリ送信機能及びスキャン機能）を選択する操作を再び有効にする。具体的には、操作制御部７２は、別の機能の選択を可能ならしめるアイコンＩｎ１の選択操作を再び有効にする（図１２（ａ）参照）。
【００６９】
操作制御部７２の上記処理によれば、通常設定画面（図１２（ｂ）参照）にてコピー枚数が確定された後、そのコピー枚数を削除するボタンＢｒ２が押される迄は、選択されているコピー機能とは別の機能を選択する操作が無効にされる。そして、機能の変更は、無効にされている選択操作を再び有効にするべくボタンＢｒ２を押すというユーザの意図に基づいて行われることになる。このため、ユーザの誤操作（ユーザの意図に反した操作）による機能の変更が、上記処理により防止される。よって、動作条件の設定途中で別の機能が選択されることがなく、従って、それまでの設定内容がリセットされてしまうこともない。結果として、動作条件を改めて設定し直すといった煩わしい操作が、ユーザに強要されることがない。
【００７０】
又、操作制御部７２の上記処理によれば、通常設定画面（図１２（ｂ）参照）にてコピー枚数が確定された後、そのコピー枚数を削除するボタンＢｒ２が押される迄は、コピー枚数に関する更なる設定操作が無効にされる。そして、コピー枚数の変更は、無効にされている設定操作を再び有効にするべくボタンＢｒ２を押すというユーザの意図に基づいて行われることになる。このため、ユーザの誤操作（ユーザの意図に反した操作）によるコピー枚数の変更が、上記処理により防止される。よって、ユーザの意図しない部数のコピーが実行されることが防止される。
【００７１】
［４−２］第５実施形態
上述した操作制御部７２が行う処理は、画像形成装置に制御プログラムを実行させることにより、実現されてもよい。そして、その様な制御プログラムは、読み取り可能な状態で記録媒体（ハードディスクやメモリカード等）に記録されていてもよい。
【００７２】
上述の実施形態の説明は、フローチャートに示された処理を含め、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００７３】
１  画像読取部
２  給紙部
３  画像処理部
４  排紙部
５  操作部
６  記憶部
７  制御部
５１  タッチディスプレイパネル
５２  静電容量式ボタン
７１  メイン制御部
７２  操作制御部
８１  画像出力部
８２  送受信部
【図１】
2019208281.tif 000003
【図２】
2019208281.tif 000004
【図３】
2019208281.tif 000005
【図４】
2019208281.tif 000006
【図５】
2019208281.tif 000007
【図６】
2019208281.tif 000008
【図７】
2019208281.tif 000009
【図８】
2019208281.tif 000010
【図９】
2019208281.tif 000011
【図１０】
2019208281.tif 000012
【図１１】
2019208281.tif 000013
【図１２】
2019208281.tif 000014